【手続補正書】
【提出日】平成20年6月30日(2008.6.30)
【手続補正１】
【補正対象書類名】明細書
【補正対象項目名】特許請求の範囲
【補正方法】変更
【補正の内容】
【特許請求の範囲】
【請求項１】  非同期ネットワークを介して、パケット化されたマルチメディアデータを受信し、パケット化されたマルチメディアデータを送信するサーバ装置であって、
信号源から、同期情報を含むパケット化されたマルチメディアデータを受信するデータ入力と、
クロックを入力するクロック入力と、
前記データ入力および前記クロック入力に結合され、前記クロックを、前記同期情報に応答して前記信号源に関連するクロックと同期させるコントローラであって、前記パケット化されたマルチメディアデータが含まれるデータフレームを生成するコントローラと、
前記非同期ネットワークに結合され、前記データフレームをクライアントデバイスに送信するデータフレーム出力と、
前記コントローラ，前記クロック入力および前記データフレーム出力に結合され、同期タイムスタンプを前記それぞれのデータフレームに置くタイムスタンプデバイスであって、前記同期タイムスタンプはそれぞれの前記データフレームが前記非同期ネットワークに置かれる時刻を示し、それによってクライアントデバイスが、前記同期タイムスタンプに応答して前記クライアントデバイスと関連するクロックを、前記サーバ装置と関連する前記クロックに同期させるタイムスタンプデバイスと
を備えることを特徴とするサーバ装置。
【請求項２】  前記コントローラは前記パケット化されたマルチメディアデータの受信に応答してデータフロータイムスタンプを生成し、それぞれのデータフロータイムスタンプは前記データ入力でそれぞれのマルチメディアデータパケットが受信された時刻を示し、前記データフレームは前記パケット化されたマルチメディアデータおよび関連データフロータイムスタンプを含み、前記クライアントデバイスは、前記データフロータイムスタンプに応答して前記データ入力で前記パケット化されたマルチメディアデータが受信されるレートに対応するように前記クライアントデバイスにおける前記データフローレートを制御することを特徴とする請求項１に記載のサーバ装置。
【請求項３】  前記データフレームは、データフレームヘッダ，同期タイムスタンプを受け付けるためタイムスタンプデータ部分、および、パケット化されたマルチメディアデータおよびその対応するデータフロータイムスタンプを受け付けるためのデータ部分を含むことを特徴とする請求項２に記載のサーバ装置。
【請求項４】  前記タイムスタンプデータ部分は、同期タイムスタンプを受け付けるための第１のタイムスタンプデータ部分と、前記クライアントデバイスによって追加された同期タイムスタンプを受け付けるための第２のタイムスタンプデータ部分を含むことを特徴とする請求項３に記載のサーバ装置。
【請求項５】  前記非同期ネットワークは無線ネットワークであることを特徴とする請求項２に記載のサーバ装置。
【請求項６】  非同期ネットワークを介して、パケット化されたマルチメディアデータを送信する方法であって、
信号源から、同期情報を含む前記パケット化されたマルチメディアデータを受信するステップと、
前記同期情報に応答してサーバクロックを、前記信号源に関連するクロックと同期させるステップと、
前記パケット化されたマルチメディアデータが含まれるデータフレームを生成するステップと、
前記データフレームを前記非同期ネットワークに置き、前記データフレームをクライアントデバイスに送信するステップとを含み、同期タイムスタンプが生成されて各データフレーム内に置かれ、それぞれの同期タイムスタンプは前記それぞれのデータフレームが前記非同期ネットワークに置かれた時刻を示し、前記クライアントデバイスは、前記同期タイムスタンプに応答して前記クライアントデバイスに関連するクロックを、前記サーバクロックと同期させることを特徴とする方法。
【請求項７】  さらに加えて、前記パケット化されたマルチメディアデータを受信するとデータフロータイムスタンプを生成し、各データフロータイムスタンプは、対応するマルチメディアデータパケットが受信された時刻を示すステップを含み、データフレームを生成する前記ステップは、前記パケット化されたマルチメディアデータを含むデータフレームおよびそこに含まれる前記データフロータイムスタンプを生成するステップを含み、前記クライアントデバイスが前記データフロータイムスタンプに応答して前記パケット化されたマルチメディアデータが受信されるレートに対応するように、前記クライアントデバイスの前記データフローレートを制御することを特徴とする請求項６に記載の方法。
【請求項８】  非同期ネットワークを介して受信したデータフレームを処理する装置であって、
前記非同期ネットワークに結合され、サーバデバイスによって送信された前記データフレームを受信するデータフレーム入力であって、前記サーバデバイスは、同期情報を含むパケット化されたマルチメディアデータを信号源から受信し、前記同期情報に応答して前記サーバデバイスと関連するクロックを前記信号源に関連するクロックと同期させ、前記マルチメディアデータが含まれるデータフレームを生成し、それぞれのデータフレームは非同期ネットワーク上にデータフレームが置かれた時刻を示す第１の同期タイムスタンプをさらに含む、入力と、
前記データフレーム入力に結合され、前記データフレーム入力で前記それぞれのデータフレームが受信された時刻を示す第２の同期タイムスタンプを生成するタイムスタンプデバイスと、
クロックを入力するクロック入力と、
前記クロック入力および前記タイムスタンプデバイスに結合され、前記第１の同期タイムスタンプおよび前記第２の同期タイムスタンプに応答して前記クロックを、前記サーバデバイスに関連するクロックと同期させるコントローラと
を備えることを特徴とする装置。
【請求項９】  前記データフレームはさらに前記パケット化されたマルチメディアデータに関連するデータフロータイムスタンプを含み、前記データフロータイムスタンプは前記サーバによって各マルチメディアデータパケットが受信された時刻を示し、
さらに加えて、前記パケット化されたマルチメディアデータを格納するバッファ、およびデコーダを備え、
前記コントローラは、前記データフロータイムスタンプに応答して前記サーバで前記パケット化されたマルチメディアデータが受信されるレートに対応するように、前記パケット化されたマルチメディアデータが前記デコーダに転送されるレートを制御することを特徴とする請求項８に記載の装置。
【請求項１０】  前記非同期ネットワークは無線ネットワークであることを特徴とする請求項８に記載の装置。
【請求項１１】  非同期ネットワークを介したデータフレームの受信に応答してクライアントデバイスを制御する方法であって、
サーバデバイスによって送信された前記データフレームをクライアントデバイスで受信するステップであって、前記サーバデバイスは、同期情報を含むパケット化されたマルチメディアデータを信号源から受信し、前記同期情報に応答して前記サーバデバイスと関連するクロックを前記信号源に関連するクロックと同期させ、前記マルチメディアデータが含まれるデータフレームを生成し、それぞれのデータフレームは非同期ネットワーク上にデータフレームが置かれた時刻を示す第１の同期タイムスタンプをさらに含む、ステップと、
前記データフレームを受信したときクライアントデバイスで第２のタイムスタンプを生成し、それぞれの第２のタイムスタンプが前記非同期ネットワークを介してデータフレームのうちのデータフレームがそれぞれ受信された時刻を示すステップと、
前記第１の同期タイムスタンプと前記第２の同期タイムスタンプに応答して前記クライアントデバイスと関連するクロックを前記サーバデバイスと関連するクロックと同期させるステップと
を含むことを特徴とする方法。
【請求項１２】  前記データフレームはパケット化されたマルチメディアデータおよびデータフロータイムスタンプを含み、それぞれのデータフロータイムスタンプは前記サーバデバイスによって対応するマルチメディアデータパケットが受信された時刻を示し、さらに、
前記データフロータイムスタンプに応答して前記サーバデバイスで前記パケット化されたマルチメディアデータが受信されたレートに対応するように、前記パケット化されたマルチメディアデータをバッファからデコーダに転送するレートを制御するステップを
含むことを特徴とする請求項１１に記載の方法。